(57)【要約】  【課題】  歯ブラシの製造コストの低減ないし歯ブラシの交換コストの低減が可能な歯ブラシの製造方法及び歯ブラシを提供する。  【解決手段】  毛束と前記毛束が植設される基台とを含む歯ブラシの製造方法であって、複数の前記基台を含む基台群ユニットを形成する基台成形工程と、前記基台群ユニットに前記毛束を植設してブラシ群ユニットを形成する植毛工程と、を含む歯ブラシの製造方法。【選択図】  図２
2017118928.tif 000002
【特許請求の範囲】
【請求項１】
毛束と前記毛束が植設される基台とを含む歯ブラシの製造方法であって、
複数の前記基台を含む基台群ユニットを形成する基台成形工程と、
前記基台群ユニットに前記毛束を植設してブラシ群ユニットを形成する植毛工程と、を含む
ことを特徴とする歯ブラシの製造方法。
【請求項２】
請求項１に記載の歯ブラシの製造方法であって、
前記基台成形工程では、複数の前記基台が連結部によって連結されて前記基台群ユニットが形成され、
前記植毛工程では、前記基台群ユニットに前記毛束を植設して、前記ブラシ群ユニットを形成する
ことを特徴とする歯ブラシの製造方法。
【請求項３】
請求項１又は２に記載の歯ブラシの製造方法であって、
前記ブラシ群ユニットのゲート部を切断するゲート切断工程を含む
ことを特徴とする歯ブラシの製造方法。
【請求項４】
請求項３に記載の歯ブラシの製造方法であって、
前記ゲート部の切断を容易にするための切断部を形成する切断部形成工程を含む
ことを特徴とする歯ブラシの製造方法。
【請求項５】
請求項３又は４に記載の歯ブラシの製造方法であって、
切断された前記ゲート部の切断残部を処理する切断残部処理工程を含む
ことを特徴とする歯ブラシの製造方法。
【請求項６】
請求項１〜５のいずれか一項に記載の歯ブラシの製造方法であって、
前記基台は、前記歯ブラシの把持部に着脱可能に接続されるブラシ台であり、
前記基台成形工程では、前記基台である前記ブラシ台を含む前記基台群ユニットを形成する
ことを特徴とする歯ブラシの製造方法。
【請求項７】
請求項６に記載の歯ブラシの製造方法であって、
前記ブラシ台は、ブラシ側接続部を含み、
前記基台成形工程では、前記ブラシ側接続部にゲートを設けて前記基台群ユニットを形成する
ことを特徴とする歯ブラシの製造方法。
【請求項８】
請求項７に記載の歯ブラシの製造方法であって、
前記把持部には、切断された前記ゲート部の切断残部を収納するための残部収納部が形成される
ことを特徴とする歯ブラシの製造方法。
【請求項９】
請求項１〜４のいずれか一項に記載の歯ブラシの製造方法であって、
前記基台は、前記歯ブラシの本体であり、
前記基台成形工程では、前記基台である前記本体を含む前記基台群ユニットを形成する
ことを特徴とする歯ブラシの製造方法。
【請求項１０】
請求項５に記載の歯ブラシの製造方法であって、
前記基台は、前記歯ブラシの本体であり、
前記基台成形工程では、前記基台である前記本体を含む前記基台群ユニットを形成し、
前記基台成形工程では、前記本体のくびれ部分であるネックにゲートを設けて前記基台群ユニットを形成し、
前記切断残部処理工程では、前記ネックに輪状部を取り付けることによって、切断された前記ゲート部の切断残部を処理する
ことを特徴とする歯ブラシの製造方法。
【請求項１１】
請求項２〜１０に記載の歯ブラシの製造方法であって、
前記基台成形工程では、前記ブラシ群ユニットを保護するための保護部を含む前記基台群ユニットを形成する
ことを特徴とする歯ブラシの製造方法。
【請求項１２】
請求項２〜１１に記載の歯ブラシの製造方法であって、
前記植毛工程では、複数の植毛ヘッドを有する植毛機械により、複数の前記基台に同時に植毛を行う
ことを特徴とする歯ブラシの製造方法。
【請求項１３】
請求項１〜１２のいずれか一項に記載の歯ブラシの製造方法によって製造されたブラシ群ユニット。
【請求項１４】
請求項１〜１２のいずれか一項に記載の歯ブラシの製造方法によって製造された歯ブラシ。
【請求項１５】
第１の部材と第２の部材を嵌め合わせて使用される歯ブラシの第１の部材であって、
当該第１の部材の形成時のゲート部の一部が残存した切断残存部が、前記第２の部材との嵌め合い部分に収まる位置にある、歯ブラシの第１の部材。
【請求項１６】
少なくとも２つの部材を嵌め合わせてなる歯ブラシであって、
形成時のゲート部の一部が残存した切断残存部が、嵌め合い部分に収まる位置にある、歯ブラシ。
【発明の詳細な説明】
【技術分野】
【０００１】
本発明は、歯ブラシの製造方法及び歯ブラシに関する。
【背景技術】
【０００２】
従来の平線植毛法を用いた歯ブラシの製造方法は、まず、射出成形工程でハンドル部分を成形した後に、植毛工程でハンドルを１本ずつ植毛機械の植毛台にセットしてから、ハンドルに用毛を植設している。例えば、特許文献１には、このような射出成形工程を用いた歯ブラシの製造方法が開示されている。
【先行技術文献】
【特許文献】
【０００３】
【特許文献１】特開平５−３０９０１７号公報
【発明の概要】
【発明が解決しようとする課題】
【０００４】
一方、近年高齢化が進むにつれて、歯の健康への関心が高まり、適切にブラッシングすることで歯の健康を保つことが奨励されている。しかし、歯ブラシにおいては、ハンドルに装飾を施す等手の込んだものが主流となっており、低価格化が進んでいない。歯ブラシは、毛束の毛先が曲がったものは歯周ポケットの掃除等に適していないため、毛先が曲がったら早期に交換する必要があるが、経済面や環境への配慮からハンドル毎短期間で交換することに抵抗を感じる使用者は少なくない。そのため、歯ブラシの交換によって生じるコストを低減することが急務となっている。
【０００５】
しかしながら、上記の従来の製造方法では、植毛工程でハンドルを１本ずつ植毛装置の植毛台にセットしなければならず、手間がかかり、コストが高くなっている。一方、機械によって自動でセットする場合には、機械の稼働コストに見合った製造ロット数が必要となり、小ロットの製造には向いていない。また、自動化されても、１本ずつセットすることには変わりがないので、時間のロスは依然として発生する。
【０００６】
また、歯ブラシのゲート切断工程では、ゲートを切断した後に、その跡が残るため、仕上げ処理が必要となるが、仕上げ処理は使用者がブラッシングをする際にその部分が不快感を与えないように細心な注意を払わなければならず、手間がかかり、コストが高くなる要因の一つとなっている。
【０００７】
また、包装工程でも一本ずつ包装しているため、１本毎の包装コストが高くなっている。複数本のセットで消費者に提供される場合も、台紙等に１本１本セットしているため、コスト削減にはつながっていない。
【０００８】
本発明は、上記課題の少なくとも一つを解決するためのもので、歯ブラシの製造コストの低減ないし歯ブラシの交換コストの低減が可能な歯ブラシの製造方法及び歯ブラシを提供することを目的とする。
【課題を解決するための手段】
【０００９】
そこで、上記課題を解決するために、本発明の一の態様に係る歯ブラシの製造方法は、毛束と前記毛束が植設される基台とを含む歯ブラシの製造方法であって、複数の前記基台を含む基台群ユニットを形成する基台成形工程と、前記基台群ユニットに前記毛束を植設してブラシ群ユニットを形成する植毛工程と、を含む。
【００１０】
また、前記基台成形工程では、複数の前記基台が連結部によって連結されて前記基台群ユニットが形成され、前記植毛工程では、前記基台群ユニットに前記毛束を植設して、前記ブラシ群ユニットを形成してもよい。
【００１１】
また、前記ブラシ群ユニットのゲート部を切断するゲート切断工程を含んでもよい。
【００１２】
また、前記ゲート部の切断を容易にするための切断部を形成する切断部形成工程を含んでもよい。
【００１３】
また、切断された前記ゲート部の切断残部を処理する切断残部処理工程を含んでもよい。
【００１４】
また、前記基台は、前記歯ブラシの把持部に着脱可能に接続されるブラシ台であり、前記基台成形工程では、前記基台である前記ブラシ台を含む前記基台群ユニットを形成してもよい。
【００１５】
また、前記ブラシ台は、ブラシ側接続部を含み、前記基台成形工程では、前記ブラシ側接続部にゲートを設けて前記基台群ユニットを形成してもよい。
【００１６】
また、前記把持部には、切断された前記ゲート部の切断残部を収納するための残部収納部が形成されてもよい。
【００１７】
また、前記基台は、前記歯ブラシの本体であり、前記基台成形工程では、前記基台である前記本体を含む前記基台群ユニットを形成してもよい。
【００１８】
また、前記基台は、前記歯ブラシの本体であり、前記基台成形工程では、前記基台である前記本体を含む前記基台群ユニットを形成し、前記基台成形工程では、前記本体のくびれ部分であるネックにゲートを設けて前記基台群ユニットを形成し、前記切断残部処理工程では、前記ネックに輪状部を取り付けることによって、切断された前記ゲート部の切断残部を処理してもよい。
【００１９】
また、前記基台成形工程では、前記ブラシ群ユニットを保護するための保護部を含む前記基台群ユニットを形成してもよい。
【００２０】
また、前記植毛工程では、複数の植毛ヘッドを有する植毛機械により、複数の前記基台に同時に植毛を行ってもよい。
【００２１】
また、上記課題を解決するために、本発明の一の態様に係るブラシ群ユニットは、上記に記載の歯ブラシの製造方法によって製造されたものである。
【００２２】
また、上記課題を解決するために、本発明の一の態様に係る歯ブラシは、上記に記載の歯ブラシの製造方法によって製造されたものである。
【００２３】
また、上記課題を解決するために、本発明の一の態様に係る歯ブラシの第１の部材は、第１の部材と第２の部材を嵌め合わせて使用される歯ブラシの第１の部材であって、当該第１の部材の形成時のゲート部の一部が残存した切断残存部が、前記第２の部材との嵌め合い部分に収まる位置にある。
【００２４】
また、上記課題を解決するために、本発明の一の態様に係る歯ブラシは、少なくとも２つの部材を嵌め合わせてなる歯ブラシであって、形成時のゲート部の一部が残存した切断残存部が、嵌め合い部分に収まる位置にある。
【発明の効果】
【００２５】
本発明によれば、歯ブラシの製造コストの低減ないし歯ブラシの交換コストの低減が可能な歯ブラシの製造方法及び歯ブラシを提供することができる。
【図面の簡単な説明】
【００２６】
【図１】実施形態１に係る歯ブラシの一例を説明するための図で、図１（ａ）は歯ブラシを説明するための図、図１（ｂ）は歯ブラシのブラシ部を説明するための図、図１（ｃ）はブラシ部と把持部が分離された状態を説明するための図である。
【図２】実施形態１に係る歯ブラシの製造方法の一例を説明するための図である。
【図３】実施形態１に係る歯ブラシの製造方法の他の例を説明するための図である。
【図４】実施形態１の変形例１に係る歯ブラシを説明するための図で、図４（ａ）はその一例、図４（ｂ）はその一例におけるブラシ部と把持部が分離された状態を説明するための図、図４（ｃ）は他の一例を示す図である。
【図５】実施形態１の変形例１に係る歯ブラシの製造方法を説明するための図で、図５（ａ）はその一例、図５（ｂ）は他の一例を示す図である。
【図６】実施形態１の変形例１に係る歯ブラシの製造方法の一例を説明するための図である。
【図７】実施形態１の変形例２に係る歯ブラシの製造方法を説明するための図である。
【図８】実施形態２に係る歯ブラシを説明するための図である。
【図９】実施形態２に係る歯ブラシの製造方法を説明するための図である。
【発明を実施するための形態】
【００２７】
以下、図面を参照して本発明に係る実施形態の例を説明する。本願においては、各構成部分の説明に当たり、歯ブラシの全体の長手（長さ）方向を「長手方向」とし、歯ブラシ全体の短手方向を「幅方向」とする。また、歯ブラシの植毛面側の面を「正面」とし、その対向面を「背面」とし、その間の面を「側面」とする。また、正面の方向を「上方」とし、裏面方向を「下方」とする。
【００２８】
＜実施形態１＞
図１は実施形態１に係る歯ブラシ１の一例を説明するための図で、図１（ａ）は歯ブラシ１を示す図、図１（ｂ）は歯ブラシ１のブラシ部１０を説明するための図、図１（ｃ）はブラシ部１０と把持部１３が分離された状態を説明するための図である。図２は歯ブラシ１の製造方法の一例を説明するための図である。図３は実施形態１に係る歯ブラシ１の製造方法の他の例を説明するための図である。
【００２９】
＜歯ブラシ＞
歯ブラシ１は、毛束１１及び毛束１１が植設される基台であるブラシ台１２を含むブラシ部１０と、ブラシ部１０が着脱可能に接続される把持部１３と、を含む。
【００３０】
毛束１１には、ナイロンやポリエステル等の樹脂素材又は天然素材の用毛を用いることができる。また、これらを２種以上組み合わせたものを用いてもよい。
【００３１】
ブラシ台１２は、ヘッド１２１と、ネック１２２と、ブラシ側接続部１２３と、を含む。ヘッド１２１は、毛束１１が植設される部分であり、正面と裏面が広く、側面が狭い扁平な形状に形成される。ネック１２２は、ヘッド１２１に延設される部分で、一例として、ヘッド１２１より狭く形成される。
【００３２】
ブラシ側接続部１２３は、把持部１３の把持側接続部１３１に着脱可能に接続される部分である。好ましくは、ブラシ側接続部１２３は、ネック１２２から突出した棒状に形成される。また、把持側接続部１３１は、長手方向にブラシ側接続部１２３を挿入するための接続孔１３２が設けられる。
【００３３】
一例として、ブラシ部１０と把持部１３とは、ブラシ側接続部１２３に長手方向に延びる凸部を設け、対応して把持側接続部１３１の接続孔１３２の内壁に長手方向に延びる凹部を設けて、両者を凸部と凹部をあわせて嵌合させることによって、接続させることができる。
【００３４】
歯ブラシ１は、ブラシ部１０を把持部１３に接続した状態で使用者に提供されてもよいし、使用者が自ら組み立てるように接続されていない状態で使用者に提供されてもよい。また、取り替え用として、ブラシ部１０単体を使用者に提供してもよい。
【００３５】
＜製造方法＞
図２は、歯ブラシ１の製造方法の一例を説明するための図で、図２（ａ）は基台成形工程、図２（ｂ）は植毛工程、図２（ｃ）はゲート切断工程、図２（ｄ）はゲート切断残部処理工程を説明するための図である。ここでは、ブラシ部１０を中心に説明し、把持部１３は、従来の製造方法によって製造するものとする。また、上記のように組立は使用者によって行われてよいため、ここでは説明を省略する。
【００３６】
基台成形工程では、射出成形機（図示せず）及び金型（図示せず）を用いて例えば合成樹脂を射出成形することによって、複数の基台１２を含む基台群ユニット（以下、「基台シート」ともいう）１００が得られる。具体的には、射出成形機のノズルから溶融した合成樹脂が金型に射出され、射出された合成樹脂がスプルー、ランナー、ゲートを通って、キャビティ内に流れ込み、これが冷却・固化した後に金型から取り出されて、基台シート１００が得られる。
【００３７】
基台シート１００は、複数の基台１２（ブラシ台１２）が、二次元方向に連なりシート状に形成される。一例として、基台シート１００は、図２（ａ）に示すように、１列４本の基台１２を含む。また、複数の基台１２は、連結部１０１によって連結されて、基台シート１００をシート状に構成する。
【００３８】
好ましくは、連結部１０１は、ランナーに残留した合成樹脂が冷却・固化して形成されたランナー部で構成される。また、スプルー、ゲートに残留した合成樹脂が冷却・固化して形成された部分も、それぞれスプルー部１０２及びゲート部１０３として、基台シート１００に含まれる。
【００３９】
植毛工程では、基台成形工程で得られた基台シート１００に、植毛機械（図示せず）を用いて毛束を植設してブラシ群ユニット（以下、「ブラシシート」ともいう）１１０が得られる。
【００４０】
まず、基台シート１００を植毛機械の植毛台にセットする。ここでは、基台シート１００は、複数の基台を含んでシート状に形成されているため、一回の作業で複数の基台をセットすることができ、作業工数を低減することができる。
【００４１】
次に、植毛機械を用いて、二つ折りにした毛束に平線Ｈを挟んで基台１２の毛束孔１２４に順に植設する。ここでは、基台シート１００における各基台１２が所定の方向で近接して配置されているため、複数の基台１２への植毛作業をまとめて行うことができる。一例として、植毛機械の植毛可能範囲がＭである場合、植毛機械は、この植毛可能範囲内の各基台１２に順に植毛することとなり、作業効率が向上する。
【００４２】
基台シート１００に含まれる基台１２の数は、植毛機械の植毛可能範囲、ヘッド１２１の大きさ、植設される毛束１１の数等に応じて設定することができる。例えば、図３（ａ）、図３（ｂ）に示すようにヘッド１２１を対向して配置した２列８本の基台１２を含むようにしてもよい。
【００４３】
ゲート切断工程では、植毛工程で得られたブラシシート１１０を、ゲート部１０３を切断して処理前ブラシ部１０が得られる。ここでは、ブラシシート１１０に含まれるブラシ部１０が近接して同様な方向に配置されているため、切断用具や治具等を用いて一回の切断作業で切断することができ、作業工数を低減することができる。
【００４４】
ゲート切断残部処理工程では、ゲート切断工程で得られた処理前ブラシ部１０を、ゲートの切断残部を仕上げすることによってブラシ部１０が得られる。
【００４５】
＜実施形態１の変形例１＞
図４は実施形態１の変形例１に係る歯ブラシ１ａを説明するための図で、図４（ａ）はその一例、図４（ｂ）はその一例におけるブラシ部１０ａと把持部１３ａが分離された状態を説明するための図、図４（ｃ）は他の一例を示す図である。
【００４６】
＜歯ブラシ＞
歯ブラシ１ａは、ブラシ部１０ａと、ブラシ部１０ａが着脱可能に接続される把持部１３ａと、を含む。
【００４７】
ブラシ部１０ａは、ブラシ側接続部１２３ａに切断残部１２５ａを含む。切断残部１２５ａは後述のようにゲート切断工程におけるゲート部の切断残部である。
【００４８】
把持部１３ａは、把持側接続部１３１ａに残部収納部１３３ａを含む。残部収納部１３３ａは、接続孔１３２から長手方向に延伸して形成される。一例として、残部収納部１３３ａは、図６（ｂ）に示すようにドーム状に形成されてもよいし、図６（ｃ）に示すように接続孔１３２から縮径して形成され、把持側接続部１３１ａに段差が形成されるように形成されてもよい。
【００４９】
＜製造方法＞
図５は実施形態１の変形例１に係る製造方法（成形工程）における基台シート１００ａを説明するための図である。実施形態１に係る基台シート１００と異なり、基台シート１００ａは、ゲートがヘッド１２１側ではなく、ブラシ側接続部１２３ａ側に形成される。
【００５０】
基台シート１００ａは、図５（ａ）に示すように、１列４本に成形されてもよいし、図５（ｂ）に示すように２列８本に成形されてもよい。
【００５１】
ブラシ側接続部１２３ａは、前述のように把持部側接続部１３１ａに挿入され、切断残部１２５ａは残部収納部１３３ａに収納される。そのため、ブラシ側接続部１２３ａに残る切断残部を仕上げる必要がなくなる。すなわち、基台シート１００ａによれば、切断残部処理工程を省略することができる。
【００５２】
さらに、ゲート切断工程を省略することもできる。具体的には、ゲートがブラシ側接続部１２３ａに設けられ、ブラシ側接続部１２３ａが使用状態では把持部１３ａに隠れる（収納）される）ため、ゲートの切断作業は精度が低いものでもよく、熟練した作業者でなくても行うことができる。また、切断作業自体も切断用具があれば、容易に行われるものである。従って、ゲート切断前のブラシ部、即ちブラシシートの状態で使用者に提供し、使用者自ら切断して使用することができる。これによって、コストをさらに低減し、使用者にさらに低価格のブラシ部を提供することができる。
【００５３】
また、ここでは、使用者による切断作業を容易にするための切断部形成工程を含んでもよい。一例として、図６（ａ）に示すように、治具の刃Ｎで切込みを形成して切断部１２６ａとしてもよいし、くびれ部分を設けて切断部１２６ａとしてもよく、図６（ｂ）に示すように両段差部の間にくびれ部分を設けて切断部１２６ａとしてもよい。切断部形成工程は、基台成形工程と共通するものでもよいし、別途設けてもよい。
【００５４】
＜実施形態１の変形例２＞
図７は、実施形態１の変形例２に係る歯ブラシ、より具体的には、ブラシシート１１０ｂを説明するための図である。図示のように、ブラシシート１１０ｂは、保護部１０４ｂを含む。好ましくは、保護部１０４ｂは、成形時におけるランナー部分で形成される。すなわち、ここでは、基台成形工程で、保護部１０４ｂが形成されるように、三次元方向に嵩高くランナーを形成できる。言い換えれば、成形工程でブラシシート１１０ｂを保護するための保護部１０４ｂを含む基台シートを形成することができる。
【００５５】
保護部１０４ｂを設けることによって、一例として、図示のように袋Ｐで包装した際に、保護部１０４ｂが枠組みを形成してブラシシート１１０ｂを保護することができる。このようにして、輸送や展示時におけるブラシ部保護機能付きパッケージを安価で構成することができる。なお、ここに示す保護部１０４ｂの形状は、一例であり、他の形状に形成されてもよいことは、言うまでもない。
【００５６】
＜実施形態２＞
図８は、実施形態２に係る歯ブラシ２を説明するための図である。図９は歯ブラシ２の製造方法を説明するための図で、図９（ａ）は基台成形工程、図９（ｂ）は植毛工程、図９（ｃ）はゲート切断工程、図９（ｄ）は切断残部処理工程を説明するための図である。
【００５７】
歯ブラシ２は、毛束２１と、毛束２１が植設される基台である本体２２と、本体２２に取り付けられる環状部２３とを含む。
【００５８】
本体２２は、ヘッド２２１、ヘッド側ネック２２２、把持部２２３、末端側ネック２２４、末端部２２５を含み、これらの部分が一体に形成される。
【００５９】
ヘッド側ネック２２２は、ヘッド２２１と把持部２２３との間の部分でこれらの部分よりも細く、くびれ状に形成される。また、末端側ネック２２４は、把持部２２３と末端部２２５との間の部分でこれらの部分よりも細く、くびれ状に形成される。なお、歯ブラシ２は、ヘッド側ネック２２２又は末端側ネック２２４の一方のみを含んでもよい。
【００６０】
環状部２３は、ゴム、樹脂等を用いることができ、ある程度の伸縮性のある素材であることが望ましい。図示の歯ブラシ２は、二つの環状部２３を含み、それぞれヘッド側ネック２２２及び末端側ネック２２４に取り付けられている。歯ブラシ２に、ヘッド側ネック２２２又は末端側ネック２２４の一方のみが含まれる場合は、環状部２３も１つであることは、言うまでもない。
【００６１】
＜製造方法＞
基台成形工程では、射出成形機（図示せず）及び金型（図示せず）を用いて例えば合成樹脂を射出成形することによって、複数の基台２２を含む基台シート２００が得られる。具体的には、射出成形機のノズルから溶融した合成樹脂が金型に射出され、射出された合成樹脂がスプルー、ランナー、ゲートを通って、キャビティ内に流れ込み、これが冷却・固化した後に金型から取りだされて、基台シート２００が得られる。
【００６２】
基台シート２００は、複数の基台２２（本体２２）を含んでシート状に形成される。一例として、基台シート２００は、図９（ａ）に示すように、１列６本の基台２２を含む。また、複数の基台２２は、連結部２０１によって連結されて、基台シート２００をシート状に構成する。
【００６３】
好ましくは、連結部２０１は、ランナーに残留した合成樹脂が冷却・固化して形成されたランナー部で構成される。また、スプルー、ゲートに残留した合成樹脂が冷却・固化して形成された部分も、それぞれスプルー部２０２及びゲート部２０３として、基台シート２００に含まれる。
【００６４】
また、本実施形態では、基台２２のくびれ部分であるネック（ヘッド側ネック２２２及び末端側ネック２２４）にゲートを設けて基台シート２００が形成される。
【００６５】
植毛工程では、基台成形工程で得られた基台シート２００に、植毛機械（図示せず）を用いて毛束を植設してブラシシート２１０が得られる。
【００６６】
まず、基台シート２００を植毛機械の植毛台にセットする。ここでは、基台シート２００は、複数の基台を含んでシート状に形成されているため、一回の作業で複数の基台をセットすることができ、作業工数を低減することができる。
【００６７】
次に、植毛機械を用いて、植毛作業を行うが、ここでは、基台シート２００における各基台２２が所定の方向で近接して配置されているため、複数の基台２２への植毛作業をまとめて行うことができる。一例として、植毛機械の植毛可能範囲がＭである場合、植毛機械は、この植毛可能範囲内の各基台２２に順に植毛することとなり、作業効率が向上する。
【００６８】
基台シート２００に含まれる基台２２の数は、植毛機械の植毛可能範囲、ヘッド２２１の大きさ、植設される毛束２１の数等に応じて設定することができる。
【００６９】
ゲートの切断工程では、植毛工程で得られたブラシシート２１０を、ゲート部２０３を切断して処理前歯ブラシ２が得られる。
【００７０】
切断残部処理工程では、ゲート切断工程で得られた処理前歯ブラシ２のネックに、環状部２３を取り付けることによって、歯ブラシ２が得られる。ここでは、環状部２３で覆うだけなので、簡単に作業を終えることができ、作業工数を低減することができる。
【００７１】
以上、本発明に係る歯ブラシの実施形態について説明したが、これらは本発明の実施形態の一例に過ぎず、本発明はこれらに限定されるものではない。本発明には、以上の各実施形態を組み合わせた形態や、様々な変形例が含まれる。
【００７２】
基台群ユニット、ブラシ群ユニットは平面状のものに限定されない。まとめて植設できる特徴を生かせれば、植毛機械の特性に応じて、適宜、形状を変更することができる。例えば、全体として湾曲していてもよい。基台は、平行に並んで連結していなくても良い。放射状に並んでいてもよい。
【００７３】
また、植毛に用いる植毛機械は、従来の植毛機械を用いることができるが、一方で、より効率的な植毛を行うため、本発明にかかる植毛機械は、下記の構成を備えていてもよい。
本発明の一実施形態にかかる植毛機械は、複数の基台に対して、同時に植毛可能な植毛機械である。そのため、植毛前の用毛を掴んで基台に植毛する植毛ヘッドを複数備える。植毛ヘッドは、各々独立して制御されていても良いし、駆動機構が兼用されていてもよい。
例えば、複数の植毛ヘッドを備え、その駆動機構の一部を共用している。すなわち、植毛ヘッドの動作を制御する回転軸などの部材が連結されており、各植毛ヘッドは、同時に同じ動作が可能である。
【００７４】
例えば、植毛機械は、３つの基台を含む１つのシートに対して、各基台に同時に植毛可能なように、３つの植毛ヘッドを備えている。
【符号の説明】
【００７５】
１              歯ブラシ
１１            毛束
１２            基台（ブラシ台）
１３            把持部
１００          基台シート
１０１          連結部
１１０          ブラシシート
２              歯ブラシ
２１            毛束
２２            基台（本体）
２２２          ヘッド側ネック
２２４          末端側ネック
２３            環状部
２００          基台シート
２０１          連結部
２１０          ブラシシート
【図１】
2017118928.tif 000003
【図２】
2017118928.tif 000004
【図３】
2017118928.tif 000005
【図４】
2017118928.tif 000006
【図５】
2017118928.tif 000007
【図６】
2017118928.tif 000008
【図７】
2017118928.tif 000009
【図８】
2017118928.tif 000010
【図９】
2017118928.tif 000011
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
毛束と前記毛束が植設されるブラシ台と把持部とを含む歯ブラシの製造方法であって、
前記ブラシ台は、
長手方向の一端に設けられ、前記毛束が植設されるヘッドと、
長手方向の他端に設けられ、前記把持部に前記ブラシ台を着脱可能に接続するブラシ側接続部と、を含み、
前記歯ブラシの製造方法は、
複数の前記ブラシ台を含むブラシ台シートを形成するブラシ台成形工程と、
前記ブラシ台シートに前記毛束を植設してブラシシートを形成する植毛工程と、を含み、
前記ブラシ台成形工程では、複数の前記ブラシ台が連結部によって連結されて前記ブラシ台シートが形成され、
前記植毛工程では、前記ブラシ台シートに前記毛束を植設して、前記ブラシシートが形成される
ことを特徴とする歯ブラシの製造方法。
【請求項２】
請求項１に記載の歯ブラシの製造方法であって、
前記ブラシ台成形工程では、前記ブラシ側接続部にゲートを設けて前記ブラシ台シートを形成する
ことを特徴とする歯ブラシの製造方法。
【請求項３】
請求項１又は２に記載の歯ブラシの製造方法であって、
前記ブラシシートのゲート部を切断するゲート切断工程を含む
ことを特徴とする歯ブラシの製造方法。
【請求項４】
請求項３に記載の歯ブラシの製造方法であって、
前記ゲート部の切断を容易にするための切断部を形成する切断部形成工程を含む
ことを特徴とする歯ブラシの製造方法。
【請求項５】
請求項３又は４に記載の歯ブラシの製造方法であって、
前記把持部には、前記ゲート部の切断残部を収納するための残部収納部が形成される
ことを特徴とする歯ブラシの製造方法。
【請求項６】
請求項１〜５のいずれか一項に記載の歯ブラシの製造方法であって、
前記ブラシ台成形工程では、前記ブラシシートを保護するための保護部を含む前記ブラシ台シートを形成する
ことを特徴とする歯ブラシの製造方法。
【請求項７】
請求項１〜６のいずれか一項に記載の歯ブラシの製造方法であって、
前記植毛工程では、複数の植毛ヘッドを有する植毛機械により、複数の前記ブラシ台に同時に植毛を行う
ことを特徴とする歯ブラシの製造方法。
【請求項８】
第１の部材と第２の部材を嵌め合わせて使用される歯ブラシであって、
前記第１の部材の形成時のゲート部の一部が残存した切断残存部が、前記第２の部材との嵌め合い部分に収まる位置にある、歯ブラシ。
【請求項９】
毛束と前記毛束が植設されるブラシ台とを含む歯ブラシ用のブラシ部の製造方法であって、
前記ブラシ台は、
長手方向の一端に設けられ、前記毛束が植設されるヘッドと、
長手方向の他端に設けられ、歯ブラシの把持部に前記ブラシ台を着脱可能に接続するブラシ側接続部と、を含み、
前記ブラシ部の製造方法は、
複数の前記ブラシ台を含むブラシ台シートを形成するブラシ台成形工程と、
前記ブラシ台シートに前記毛束を植設してブラシシートを形成する植毛工程と、を含み、
前記ブラシ台成形工程では、複数の前記ブラシ台が連結部によって連結されて前記ブラシ台シートが形成され、
前記植毛工程では、前記ブラシ台シートに前記毛束を植設して、前記ブラシシートが形成される
ことを特徴とするブラシ部の製造方法。
【請求項１０】
請求項９に記載のブラシ部の製造方法であって、
前記ブラシ台成形工程では、前記ブラシ側接続部にゲートを設けて前記ブラシ台シートを形成する
ことを特徴とするブラシ部の製造方法。
【請求項１１】
請求項９又は１０に記載のブラシ部の製造方法であって、
ゲート部の切断を容易にするための切断部を形成する切断部形成工程を含む
ことを特徴とするブラシ部の製造方法。
【請求項１２】
請求項９〜１１のいずれか一項に記載のブラシ部の製造方法であって、
前記ブラシ台成形工程では、前記ブラシシートを保護するための保護部を含む前記ブラシ台シートを形成する
ことを特徴とするブラシ部の製造方法。
【請求項１３】
請求項９〜１２のいずれか一項に記載のブラシ部の製造方法であって、
前記植毛工程では、複数の植毛ヘッドを有する植毛機械により、複数の前記ブラシ台に同時に植毛を行う
ことを特徴とするブラシ部の製造方法。